(57)【要約】【課題】従来は、サーバやネットワークの負荷が大きいという問題点があったが、本発明は、サーバの負荷を軽減し、更にサーバからクライアントへのデータ転送量を低減してネットワークの負荷集中を軽減してシステム効率を向上し、その結果クライアントの表示レスポンスを向上してサービス向上を図ることができる情報表示システムを提供する。【解決手段】サーバ２が、各クライアント３から登録された自動更新銘柄をクライアントに対応付けて記憶し、自動更新銘柄の取引情報を受信すると、自動更新銘柄に対応するクライアント３に取引情報を送信し、クライアント３がサーバ２から受信した取引情報に基づいて、少なくとも最小の単位期間における値動きを示す証券情報を生成して時系列に蓄積記憶し、蓄積記憶した時系列の証券情報を用いて、希望される日中足、日足、週足、月足、年足等の単位期間における証券情報を表示する情報表示システムである。【選択図】　　　　図４
2004126901.tif 000002
【特許請求の範囲】
【請求項１】
通信回線を介して複数銘柄の取引情報を受信するサーバと、前記サーバに接続され、任意に選択した銘柄の単位期間における値動きを示す証券情報を表示する複数のクライアントから構成される情報表示システムであって、
前記サーバが、各クライアントから登録された自動更新銘柄をクライアントに対応付けて記憶し、前記自動更新銘柄の取引情報を受信すると、前記自動更新銘柄に対応するクライアントに前記取引情報を送信するサーバであり、
前記クライアントが、任意に選択した銘柄を自動更新銘柄として前記サーバに登録しておき、前記サーバからの前記自動更新銘柄に関する取引情報を受信すると、前記取引情報に基づいて、単位期間における値動きを示す証券情報を生成して時系列に蓄積記憶し、前記蓄積記憶されている時系列の証券情報を用いて、単位期間における値動きを示す証券情報を表示するクライアントであることを特徴とする情報表示システム。
【請求項２】
証券情報を表示する単位期間が、日中足、日足、週足、月足、年足に対応する期間の何れか、若しくは幾つかであり、クライアントは、証券情報を表示する単位期間の内、少なくとも最小の単位期間における値動きを示す証券情報を生成して時系列に蓄積記憶し、前記蓄積記憶した時系列の証券情報を用いて、希望される単位期間における証券情報を表示するクライアントであることを特徴とする請求項１記載の情報表示システム。
【発明の詳細な説明】
【０００１】
【発明の属する技術分野】
本発明は、ホストから伝達された情報を受信して表示するクライアント／サーバ構成の情報表示システムに係り、特にサーバの負荷を軽減し、クライアント／サーバ間の通信量を軽減して、迅速な情報表示を実現できる情報表示システムに関する。
【０００２】
【従来の技術】
まず、一般的なクライアント／サーバ構成の情報表示システムについて図５を使って説明する。図５は、一般的なクライアント／サーバ構成の情報表示システムの概略構成図である。
一般的なクライアント／サーバ構成の情報表示システムは、図５に示すように、センタシステムとして、証券・金融関係の取引情報を配信するホスト１と、ホスト１から通信回線を介して配信される取引情報に基づき、銘柄毎に始値、高値、安値、現在値、気配等を含む証券情報を蓄積記憶するサーバ２と、サーバ２から任意の銘柄に関する最新の証券情報を取得して表示する複数のクライアント３ａとを備え、センタシステムとローカル接続や専用線等によるイントラネット系、またはインターネット等で接続されるユーザシステムとして、複数のクライアント３ｂとを備えている。
尚、ホスト１は、証券取引所等に設けられることもあるので、ここでは、サーバ２とクライアント３ａ，３ｂとから構成される部分を情報表示システムと称する。
【０００３】
図５に示したようなクライアント／サーバ構成の情報表示システムにおいて、クライアント３ａ，３ｂで証券情報（日中足情報等）を表示する場合の従来の処理の流れについて、図６を使って説明する。図６は、証券情報（日中足情報等）を表示する場合の従来の処理の流れを示す説明図である。
証券・金融関係の証券情報を表示する方法の１つとして、ある単位期間の「始値」・「高値」・「安値」・「終値」の４つの値段をローソクの形で示し、株価の上昇／下落や、上昇幅／下落幅を一目でわかるように表したグラフをローソク足と呼ぶ。
そして、ローソク足のうち、１日の内の時間単位の動きを対象とするものは日中足（にっちゅうあし）と呼び、日々の動きを対象とするものは日足（ひあし）と呼び、週単位なら週足（しゅうあし）、月単位なら月足（つきあし）、年単位なら年足（ねんあし）と呼ぶ。
【０００４】
従来の情報表示システムでは、ホスト１から配信される各銘柄の取引情報に基づく証券情報について、クライアント３側で日中足、日足、週足、月足、年足などの情報を表示する場合、サーバ２側に全て、又は任意の複数銘柄の証券情報を蓄積しておき、クライアント３側からサーバ２側へ表示したい銘柄に関する証券情報の有無を問合せ、当該銘柄に関する証券情報が存在した場合に、クライアント３側からサーバ２側に当該銘柄の証券情報の取得要求を行い、サーバ２側からクライアント３側に証券情報を送信して表示する方法が取られていた。
よって、クライアント３からの表示要求が発生した時点でサーバ２への問合せ、およびデータの取得が行われるものであった。
【０００５】
具体的には、図６に示すように、クライアント３において、事前に行う処理として、指定銘柄有無の問合せ処理である、自動更新したい銘柄（銘柄Ａとする）を入力し、銘柄Ａについてクライアント３からサーバ２に対して、サーバ／クライアント間規定のデータフォーマット、及び規定のプロトコルに従って、銘柄検索要求を行い、サーバ２では、要求された銘柄Ａについて、サーバ内の銘柄情報を検索し、指定銘柄Ａが存在する場合、「銘柄Ａ有り」の応答、存在しない場合「銘柄Ａなし」の応答をクライアント３へ返送する。
【０００６】
そして、クライアント３では、「銘柄Ａ有り」の応答があった場合に、当該銘柄Ａをサーバ２に対して自動更新登録要求を行い、サーバ３では、当該クライアント３について、銘柄Ａを自動更新の対象として登録する。
尚、「銘柄Ａなし」の応答があった場合で、サーバに当該銘柄の情報保持を要求する場合には、別途申請処理などを行うが、本件では、扱わない。
【０００７】
サーバ２では、情報蓄積処理として、クライアント３によって自動更新登録された銘柄に関する取引情報のデータをホスト１より受信すると、受信データに基づき、日中足グラフを表示するための証券情報データ（日中足データ）を生成し、サーバ２のＨＤＤに格納する。
ここで、ホスト１より受信する取引情報は、銘柄の識別子（銘柄コード）と、少なくとも値動きがあった場合の現在値の情報であり、場合によっては、１日単位の「始値」・「高値」・「安値」・「終値（現在値）」を含む場合もある。
【０００８】
ここで、日中足グラフを表示するための証券情報データ（日中足データ）を生成する処理は、受信する取引情報のデータに基づき、最も短い単位期間における「始値」・「高値」・「安値」・「終値」を求める処理であり、詳細は、特開平６−３０１６８２号「表示装置の表示方法」に説明されている。
尚、ホスト１から配信される取引情報には、１日単位の「始値」・「高値」・「安値」・「終値」の４つの値段を含む場合もあり、クライアント３において表示したいローソク足の最小期間が日足である場合には、受信した取引情報をそのままの格納すればよい。
【０００９】
そして、クライアント３において、ユーザがら特定銘柄（例えば銘柄Ａ）の証券情報に対する表示要求が発生すると、クライアント３からサーバ２へ（日中足）データ取得要求が送信され、サーバ２ではクライアント３からのデータ取得要求に従い、ＨＤＤに蓄積していた銘柄Ａの日中足データを取得してクライアント３に送信する。
【００１０】
そして、クライアント３はサーバ２より返送された日中足データを受信し、当該データに基づいて、表示要求された単位期間（日中足、日足、週足、月足、年足等）に従って編集後、規定のフォーマットにてデータを表示するようになっている。
【００１１】
尚、日中足グラフを表示させる従来技術としては、平成６年１０月２８日公開の特開平６−３０１６８２号「表示装置の表示方法」（出願人：国際電気株式会社、発明者：中村和正）がある。
この従来技術は、単位期間内での取引情報の高値と安値の価格、売買高を求めて記憶蓄積し、日中足グラフの表示指示により、単位期間毎に価格の棒グラフと売買高の棒グラフを作成して表示し、表示中に価格等のデータの更新があると、表示中のグラフに追加表示する表示装置の表示方法であり、単方向データ伝送システムに使用される表示装置で日中足グラフを表示させて、一日における価格、売買高の推移を把握できるため、株式売買の有効な判断材料にすることができるものである。（特許文献１参照）。
【００１２】
また、サーバ／クライアント構成の表示システムにおける自動更新登録に関する従来技術としては、２００２（平成１４）年６月２８日公開の特開２００２−１８３４５０号「配信制御方法」（出願人：株式会社日立国際電気、発明者：城宝泰宏他）がある。
この従来技術は、クライアントが、受信した自動更新通知に含まれる銘柄毎に、自動更新通知に含まれる更新項目と、予め銘柄に対応して記憶されている表示項目とを比較して少なくとも一つが一致する場合に当該銘柄の更新情報の取得要求を送信する配信制御方法としているので、自動更新表示に伴う通信量を低減し、システムを効率的に運用できるものである。（特許文献２参照）。
【００１３】
その他に、サーバ／クライアント構成の情報表示システムに関しては、平成１０年４月１４日公開の特開平１０−９７４５４号「クライアント／サーバシステムにおけるデータ更新方法及びクライアント／サーバシステム」（出願人：株式会社ピーエフユー、発明者：左今均）（特許文献３）、２００１（平成１０）年６月２２日公開の特開２００１−１６７１９０号「情報配信方法及び情報配信システム」（出願人：株式会社日立国際電気、発明者：浅間裕樹他）（特許文献４）がある。
【００１４】
【特許文献１】
特開平６−３０１６８２号公報
【特許文献２】
特開２００２−１８３４５０号公報
【特許文献３】
特開平１０−９７４５４号公報
【特許文献４】
特開２００１−１６７１９０号公報
【００１５】
【発明が解決しようとする課題】
しかしながら、従来の情報表示システムでは、クライアント３において証券情報の表示要求が発生した時点でサーバ２への問合せ、及び証券データの取得が行われるため、クライアントにおける表示レスポンスが悪く、特に、クライアント／サーバ間のネットワーク速度が遅い場合には、レスポンスの悪化が顕著に現れ、サービス低下に繋がるという問題点があった。
【００１６】
また、サーバ２当りの接続クライアント３が多数であり、複数クライアントからの問合せや取得要求が同時に発生した場合、サーバの負荷が増大し、システム全体のレスポンス性能に悪影響を与え、またサーバ２からクライアント３に送信される日中足データはデータ量が多いため、ネットワークへの負荷が集中し、システムとしての性能が低下するという問題点があった。
【００１７】
本発明は上記実情に鑑みて為されたもので、サーバの負荷を軽減し、更にサーバからクライアントへのデータ転送量を低減してネットワークの負荷集中を軽減してシステム効率を向上し、その結果クライアントの表示レスポンスを向上してサービス向上を図ることができる情報表示システムを提供することを目的とする。
【００１８】
【課題を解決するための手段】
上記従来例の問題点を解決するための本発明は、情報表示システムにおいて、
通信回線を介して複数銘柄の取引情報を受信するサーバと、サーバに接続され、任意に選択した銘柄の単位期間における値動きを示す証券情報を表示する複数のクライアントから構成される情報表示システムであって、
サーバが、各クライアントから登録された自動更新銘柄をクライアントに対応付けて記憶し、自動更新銘柄の取引情報を受信すると、自動更新銘柄に対応するクライアントに取引情報を送信するサーバであり、
クライアントが、任意に選択した銘柄を自動更新銘柄としてサーバに登録しておき、サーバからの自動更新銘柄に関する取引情報を受信すると、取引情報に基づいて、単位期間における値動きを示す証券情報を生成して時系列に蓄積記憶し、蓄積記憶されている時系列の証券情報を用いて、単位期間における値動きを示す証券情報を表示するクライアントであることを特徴としているので、
サーバの負荷を軽減し、更にサーバからクライアントへのデータ転送量を低減してネットワークの負荷集中を軽減してシステム効率を向上し、更にクライアント上に証券情報を時系列に蓄積記憶しておいて表示するため、クライアントの表示レスポンスを向上できる。
【００１９】
上記従来例の問題点を解決するための本発明は、上記情報表示システムにおいて、
証券情報を表示する単位期間が、日中足、日足、週足、月足、年足に対応する期間の何れか、若しくは幾つかであり、クライアントは、証券情報を表示する単位期間の内、少なくとも最小の単位期間における値動きを示す証券情報を生成して時系列に蓄積記憶し、蓄積記憶した時系列の証券情報を用いて、希望される単位期間における証券情報を表示するクライアントであることを特徴としているので、
クライアント上に少なくとも最小の単位期間における値動きを示す証券情報を時系列に蓄積記憶しておいて、希望される単位期間における日中足、日足、週足、月足、年足等の証券情報を表示するため、クライアントの表示レスポンスを向上できる。
【００２０】
【発明の実施の形態】
本発明の実施の形態について図面を参照しながら説明する。
尚、以下で説明する機能実現手段は、当該機能を実現できる手段であれば、どのような回路又は装置であっても構わず、また機能の一部又は全部をソフトウェアで実現することも可能である。更に、機能実現手段を複数の回路によって実現してもよく、複数の機能実現手段を単一の回路で実現してもよい。
【００２１】
本発明に係る情報表示システムは、クライアントが、任意に選択した銘柄を自動更新銘柄としてサーバに登録しておき、サーバが、各クライアントから登録された自動更新銘柄をクライアントに対応付けて記憶し、自動更新銘柄の取引情報を受信すると、自動更新銘柄に対応するクライアントに取引情報を送信し、クライアントがサーバから受信した取引情報に基づいて、少なくとも最小の単位期間における値動きを示す証券情報を生成して時系列に蓄積記憶し、蓄積記憶した時系列の証券情報を用いて、希望される日中足、日足、週足、月足、年足等の単位期間における証券情報を表示するものなので、サーバの負荷を軽減し、更にサーバからクライアントへのデータ転送量を低減してネットワークの負荷集中を軽減してシステム効率を向上し、更にクライアント上に証券情報を時系列に蓄積記憶しておいて表示するため、クライアントの表示レスポンスを向上できるものである。
【００２２】
本発明の情報表示システムの概略構成は、図５に示した一般的なクライアント／サーバ構成の情報表示システムと同様であり、センタシステムとして、証券情報を配信するホスト１と、ホスト１から通信回線を介して配信される銘柄毎に始値、高値、安値、現在値、気配等を含む証券情報を受信蓄積するサーバ２と、サーバ２から任意の銘柄に関する最新の証券情報を取得して表示する複数のクライアント３ａとを備え、センタシステムとローカル接続や専用線等によるイントラネット系、またはインターネット等で接続されるユーザシステムとして、複数のクライアント３ｂとを備えている。
【００２３】
但し、本発明の情報表示システムにおいて、日中足情報等を表示する為にサーバ２及びクライアント３が実現する機能が、従来のそれとは異なっている。
【００２４】
まず、本発明の情報表示システムにおけるサーバ２の概略構成について、図１を使って説明する。図１は、本発明のサーバ２の概略構成を示すブロック図である。
本発明の情報表示システムにおけるサーバ２は、制御手段としての制御プログラムが動作するＣＰＵ２０と、記憶手段としての一時データを記憶するＲＡＭ２１と、プログラムなどを記憶するＲＯＭ２２と、登録情報や各種大容量のデータを記憶するハードディスク（ＨＤＤ）２３と、入力手段としてのキーボード２４，マウス２５と、時刻を管理するクロック２６と、表示手段としての画像出力制御装置２７，画像出力装置２８と、通信制御手段として、ホスト１と通信するＬＡＮ制御装置２９ａ及びクライアント３と通信するＬＡＮ制御装置２９ｂとから構成されている。
【００２５】
そしてＨＤＤ２３には、銘柄テーブル２３ａと、自動更新登録テーブル２３ｂとを備えている。
銘柄テーブル２３ａは、ホスト１から配信される全銘柄の証券情報の中で、サーバ３が取り扱う銘柄の銘柄識別子（銘柄コード）を記憶しているテーブルである。尚、記憶される銘柄コードは、予め固定であっても良いし、配下のクライアント２からの要求に従って追加していくものであっても良い。
自動更新登録テーブル２３ｂは、配下のクライアント３毎に、自動更新登録要求された銘柄コードを記憶しているテーブルである。
【００２６】
また、ＣＰＵ２０で実行されるプログラムとしては、クライアント２からの自動更新登録要求を受け付ける自動更新登録処理と、自動更新登録に従って、ホスト１から配信された情報をクライアントに送信する自動更新データ送信処理を行う。
【００２７】
自動更新登録処理は、クライアント３からの任意の銘柄コードに関する銘柄検索要求を受信すると起動され、検索要求された銘柄コードがＨＤＤ２３の銘柄テーブル２３ａに記憶されているか検索し、検索結果をクライアントに返信し、クライアント３から当該銘柄コードに関する自動更新登録要求を受信すると、ＨＤＤ２３の自動更新登録テーブル２３ｂに、要求されたクライアントに関する自動更新登録銘柄として記憶させる処理である。
【００２８】
自動更新データ送信処理は、ホスト１から任意の銘柄コードに関する取引情報を受信すると起動され、当該銘柄コードがＨＤＤ２３の銘柄テーブル２３ａに記憶されているか検索し、記憶されていない場合には破棄し、記憶されている場合にはＲＡＭ２１等に一時記憶してから、ＨＤＤ２３の自動更新登録テーブル２３ｂに、当該銘柄コードを自動更新登録銘柄として記憶しているクライアント３に対して取引情報を順に送信する処理である。
【００２９】
次に、本発明の情報表示システムにおけるクライアント３の概略構成について、図２を使って説明する。図２は、本発明のクライアント３の概略構成を示すブロック図である。
本発明の情報表示システムにおけるクライアント３は、制御手段としての制御プログラムが動作するＣＰＵ３０と、記憶手段としての一時データを記憶するＲＡＭ３１と、プログラムなどを記憶するＲＯＭ３２と、各種大容量のデータを記憶するハードディスク（ＨＤＤ）３３と、入力手段としてのキーボード３４，マウス３５と、時刻を管理するクロック３６と、表示手段としての画像出力制御装置３７，画像出力装置３８と、通信制御手段として、サーバ２と通信するＬＡＮ制御装置３９とから構成されている。
【００３０】
そしてＨＤＤ３３には、日中足グラフを表示する為の証券データ（日中足データ）を時系列に記憶するデータ蓄積テーブル３３ａを備えている。
データ蓄積テーブル３３ａは、クライアント３がサーバ２に対して自動更新登録した銘柄コード毎に、日中足（又は日足、週足、月足）等のグラフを表示するための証券データ（日中足データ）を時系列に記憶するものである。
【００３１】
尚、日中足（又は日足、週足、月足）等のグラフを表示するための証券データ（日中足データ）は、表示するローソク足グラフの最も短い単位期間における「始値」・「高値」・「安値」・「終値」である。
つまり、日中足グラフを表示する為には、日中足の単位期間における証券情報を時系列に記憶し、そこから日足、週足、月足、年足等のグラフを作成し、最も短い単位期間が１日（即ち日足）であれば、１日単位の証券情報を時系列に記憶し、そこから週足、月足、年足等のグラフを作成すればよい。
【００３２】
データ蓄積テーブル３３ａの具体的なフォーマット例について、図３を使って説明する。図３は、本発明の情報表示システムのクライアントにおけるデータ蓄積テーブル３３ａのフォーマット及びデータ例を示す説明図である。
図３に示すように、銘柄コード毎に、クライアントで自動更新登録した銘柄全てについて、単位期間毎の「始値」・「高値」・「安値」・「終値」を格納する。尚、図３に示した例は、グラフを表示したい最も短い単位期間が１日（即ち日足）の場合であり、１日単位の証券情報を時系列に記憶している。
尚、最も新しい日付における終値は、現在値ということになる。
【００３３】
次に、ＣＰＵ３０における制御処理について説明する。
ＣＰＵ３０で実行されるプログラムとしては、クライアント２から自動更新の要求を行う自動更新要求処理と、ホスト１から配信される情報を処理するデータ蓄積処理と、表示要求に従って日中足データを表示するデータ表示処理を行う。
【００３４】
自動更新要求処理は、自動更新を希望する銘柄コードについて、サーバ２に当該銘柄コードに関する銘柄検索要求を送信し、サーバ２からの検索結果を受信し、当該銘柄の情報有りであった場合に、当該銘柄コードに関する自動更新登録要求を送信する処理である。
【００３５】
データ蓄積処理は、自動更新登録した銘柄コードについて、サーバ２から送信される取引情報を受信し、受信データに基づき、日中足グラフを表示するための証券情報データ（日中足データ）を生成し、ＨＤＤ３３のデータ蓄積テーブル３３ａに格納する。
【００３６】
ここで、日中足グラフを表示するための証券情報データ（日中足データ）を生成する処理は、受信する取引情報のデータに基づき、単位期間における「始値」・「高値」・「安値」・「終値」を求める処理であり、詳細は、特開平６−３０１６８２号「表示装置の表示方法」に説明されている。尚、この処理は、従来の情報表示システムにおいてはサーバ２にて行っていた処理と同様である。
【００３７】
尚、ホスト１から配信されサーバ２を介してクライアント３に送信される取引情報は、銘柄の識別子（銘柄コード）と、少なくとも値動きがあった場合の現在値の情報であり、場合によっては、１日単位の「始値」・「高値」・「安値」・「終値（現在値）」を含む場合もある。
１日単位の「始値」・「高値」・「安値」・「終値」の４つの値段を含む場合には、クライアント３において表示したいローソク足の最小単位期間が日足である場合には、受信した取引情報をそのままの格納すればよい。
【００３８】
データ表示処理は、キーボード３４又はマウス３５からのローソク足グラフ表示の指示に従い、指示された銘柄コードに関する証券データをＨＤＤ３３のデータ蓄積テーブル３３ａから読み込み、指示されたローソク足の単位期間（日中足、日足、週足、月足など）に従ってグラフデータを編集し、定められたフォーマットで表示する処理である。
【００３９】
次に、本発明のクライアント／サーバ構成の情報表示システムにおいて、クライアント３で日中足情報等を表示する場合の処理の流れについて、図４を使って説明する。図４は、本発明の情報表示システムにおいて日中足情報等を表示する場合の処理の流れを示す説明図である。
【００４０】
本発明の情報表示システムでは、ホスト１から配信される各銘柄の取引情報に基づく証券情報について、クライアント３側で日中足、日足、週足、月足などの情報を表示する場合、サーバ２側に配信を希望する銘柄コードを登録しておき、ホスト１から配信される取引情報をサーバ２から配信を希望したクライアント３にそのまま送信し、クライアント３側で日中足などの表示用の証券情報を蓄積しておき、当該蓄積されている証券情報から表示する方法を取る。
よって、クライアント３からの表示要求が発生した時点では、クライアント３内に蓄積された情報を用いて表示が行われるものである。
【００４１】
具体的には、図４に示すように、クライアント３において、自動更新登録要求処理として、自動更新したい銘柄（銘柄Ａとする）を入力し、銘柄Ａについてクライアント３からサーバ２に対して、サーバ／クライアント間規定のデータフォーマット、及び規定のプロトコルに従って、銘柄検索要求を行い、サーバ２では、自動更新登録処理として要求された銘柄Ａについて、サーバ内の銘柄情報を検索し、指定銘柄Ａが存在する場合、「銘柄Ａ有り」の応答、存在しない場合「銘柄Ａなし」の応答をクライアント３へ返送する。
【００４２】
そして、クライアント３では、「銘柄Ａ有り」の応答があった場合に、当該銘柄Ａをサーバ２に対して自動更新登録要求を行い、サーバ２では、当該クライアント３について、銘柄Ａを自動更新の対象として登録する。
尚、「銘柄Ａなし」の応答があった場合で、サーバに当該銘柄の情報保持を要求する場合には、別途申請処理などを行うが、本件では、扱わない。
ここまでの処理の流れは、従来と同様である。
【００４３】
サーバ２では、自動更新データ送信処理としてクライアント３によって自動更新登録された銘柄に関する取引情報のデータをホスト１より受信すると、自動更新登録したクライアント３宛に取引情報のデータを送信する。
【００４４】
クライアント３では、データ蓄積処理としてサーバ２から送信される取引情報を受信し、受信データに基づき、日中足グラフを表示するための証券情報データ（日中足データ）を生成し、ＨＤＤ３３のデータ蓄積テーブル３３ａに格納する。
【００４５】
そして、クライアント３では、キーボード３４又はマウス３５からのローソク足グラフ表示の指示があると、データ表示処理として、指示された銘柄コードに関する証券データをＨＤＤ３３のデータ蓄積テーブル３３ａから読み込み、指示されたローソク足の単位期間（日中足、日足、週足、月足、年足など）に従ってグラフデータを編集し、定められたフォーマットで表示するようになっている。
【００４６】
尚、上記説明では、クライアント３において、データ蓄積テーブル３３ａに、自動更新登録した銘柄コード毎に、表示するローソク足グラフの最も短い単位期間における証券データ（日中足データ）を時系列に記憶するものとしたが、最も短い単位期間における証券データだけでなく、日足、週足、月足、年足等に対応する証券データを記憶しても構わない。
それにより、表示の際に指定された単位期間に応じて編集する処理が削減され、表示レスポンスは更に向上することになる。
【００４７】
本発明の実施の形態の情報表示システムによれば、サーバ２は、自動更新登録された銘柄コードに関する取引情報をホスト１から受信すると、そのままの取引情報を自動更新登録したクライアント３に送信するので、従来サーバ２からクライアント３に大容量の時系列の証券情報を送信していたのに比べて、サーバからクライアントへのデータ転送量を大幅に低減し、ネットワーク負荷を軽減できる効果がある。
【００４８】
また、サーバ２の配下のクライアント３の数が多くても、ホスト１から受信した情報をクライアント３に送信する際は、自動更新登録したクライアント３に順に送信するので、ネットワークの負荷が集中して増大することにはならず、システムとしての効率劣化に繋がるものではない。
【００４９】
そして、各クライアント３において、サーバ２から送信された取引情報に基づき、日中足グラフを表示するための証券情報データ（日中足データ）を生成し、ＨＤＤ３３のデータ蓄積テーブル３３ａに格納するので、各クライアントにおける最小の単位期間における「始値」・「高値」・「安値」・「終値」を求めて証券情報データ（日中足データ）を生成すればよく、ユーザのニーズに応じて処理の負荷を軽減できる効果がある。
【００５０】
そして、クライアント３におけるローソク足グラフの表示のタイミングでは、サーバ２をアクセスすることなく、自己のＨＤＤ３３のデータ蓄積テーブル３３ａに格納されている情報を用いて表示を行うので、表示レスポンスを大幅に向上できる効果がある。
【００５１】
また、表示の際にクライアント３からサーバ２をアクセスすることなく表示できるため、サーバ２の負荷を軽減し、ネットワークの負荷集中も回避できる効果がある。
【００５２】
上述のような各種負荷軽減により、システム効率を向上し、その結果クライアントの表示レスポンスを向上してサービス向上を図ることができる効果がある。
【００５３】
【発明の効果】
本発明によれば、クライアントが、任意に選択した銘柄を自動更新銘柄としてサーバに登録しておき、サーバが、各クライアントから登録された自動更新銘柄をクライアントに対応付けて記憶し、自動更新銘柄の取引情報を受信すると、自動更新銘柄に対応するクライアントに取引情報を送信し、クライアントがサーバから受信した取引情報に基づいて、単位期間における値動きを示す証券情報を生成して時系列に蓄積記憶し、蓄積記憶されている時系列の証券情報を用いて、単位期間における証券情報を表示する情報表示システムとしているので、サーバの負荷を軽減し、更にサーバからクライアントへのデータ転送量を低減してネットワークの負荷集中を軽減してシステム効率を向上し、更にクライアント上に証券情報を時系列に蓄積記憶しておいて表示するため、クライアントの表示レスポンスを向上でき、サービス向上を図ることができる効果がある。
【００５４】
本発明によれば、クライアントにおける証券情報を表示する単位期間が、日中足、日足、週足、月足、年足に対応する期間の何れか、若しくは幾つかであり、クライアントは、証券情報を表示する単位期間の内、少なくとも最小の単位期間における値動きを示す証券情報を生成して時系列に蓄積記憶し、蓄積記憶した時系列の証券情報を用いて、希望される単位期間における証券情報を表示する上記情報表示システムとしているので、クライアント上に少なくとも最小の単位期間における値動きを示す証券情報を時系列に蓄積記憶しておいて、希望される単位期間における日中足、日足、週足、月足、年足等の証券情報を表示するため、クライアントの表示レスポンスを向上でき、サービス向上を図ることができる効果がある。
【図面の簡単な説明】
【図１】本発明のサーバの概略構成を示すブロック図である。
【図２】本発明のクライアントの概略構成を示すブロック図である。
【図３】本発明の情報表示システムのクライアントにおけるデータ蓄積テーブルのフォーマット及びデータ例を示す説明図である。
【図４】本発明の情報表示システムにおいて日中足情報等を表示する場合の処理の流れを示す説明図である。
【図５】一般的なクライアント／サーバ構成の情報表示システムの概略構成図である。
【図６】日中足情報等を表示する場合の従来の処理の流れを示す説明図である。
【符号の説明】
１…ホスト、　２…サーバ、　３，３ａ，３ｂ…クライアント、　２０，３０…ＣＰＵ、　２１，３１…ＲＡＭ、　２２，３２…ＲＯＭ、　２３，３３…ＨＤＤ、　２４，３４…キーボード、　２５，３５…マウス、　２６，３６…クロック、　２７，３７…画像出力制御装置、　２８，３８…画像出力装置、　２９ａ，２９ｂ，３９…ＬＡＮ制御装置、　２３ａ…銘柄テーブル、　２３ｂ…自動更新登録テーブル、　３３ａ…データ蓄積テーブル
【図１】
2004126901.tif 000003
【図２】
2004126901.tif 000004
【図３】
2004126901.tif 000005
【図４】
2004126901.tif 000006
【図５】
2004126901.tif 000007
【図６】
2004126901.tif 000008